(57)【特許請求の範囲】
【請求項１】
外周にねじが切られた調整部と調整部の一端部に設けられた台座とを備え、調整部から台座にかけて中央部に工具の挿入が可能な貫通孔が形成されたアジャスターが用いられ、収納棚の壁側の部位に内周にねじが切られた貫通孔が形成され、収納棚の貫通孔にアジャスターの調整部が螺合され、収納棚側よりアジャスターを回転させて水平及び垂直方向の不陸が調整可能とされ、アジャスターの貫通孔を通じて固定ねじが壁にねじ込まれ、アジャスターとともに収納棚が取り付け、固定されることを特徴とする収納棚の壁固定構造。
【発明の詳細な説明】
【技術分野】
【０００１】
この出願の発明は、収納棚の壁固定構造に関するものである。さらに詳しくは、この出願の発明は、台座においてねじ固定の必要のない、固定の簡便なアジャスターを用いて水平及び垂直方向の不陸を調整し、収納棚を壁に取り付け、固定することのできる収納棚の壁固定構造に関するものである。
【背景技術】
【０００２】
不陸を調整することのできるアジャスターは、様々に知られている（たとえば、特許文献１参照）。
【特許文献１】特開平１１−１３１７５４号公報
【発明の開示】
【発明が解決しようとする課題】
【０００３】
しかしながら、アジャスターを床又は壁に固定する際には、台座において固定ねじを用いて取り付け、固定しなければならず、アジャスターの取付固定作業は容易ではなかった。特にこの問題は、収納棚を壁に固定する場合に顕在化する。
【０００４】
この出願の発明は、このような事情に鑑みてなされたものであり、台座においてねじ固定の必要のない、固定の簡便なアジャスターを用いて水平及び垂直方向の不陸を調整し、収納棚を壁に取り付け、固定することのできる収納棚の壁固定構造を提供することを解決すべき課題としている。
【課題を解決するための手段】
【０００５】
この出願の発明の収納棚の壁固定構造は、上記の課題を解決するものとして、まず、外周にねじが切られた調整部と調整部の一端部に設けられた台座とを備え、調整部から台座にかけて中央部に工具の挿入が可能な貫通孔が形成され、この貫通孔を通じて挿入される固定ねじにより取り付け、固定が可能とされているアジャスターが用いられることを特徴としている。
【０００６】
そして、この出願の発明の収納棚の壁固定構造は、収納棚の壁側の部位に形成され、内周にねじが切られた貫通孔に上記のアジャスターの調整部が螺合され、収納棚側よりアジャスターを回転させて水平及び垂直方向の不陸が調整可能とされ、アジャスターの貫通孔を通じて固定ねじが壁にねじ込まれ、アジャスターとともに収納棚が取り付け、固定されることを特徴としている。
【発明の効果】
【０００８】
この出願の発明の収納棚の壁固定構造によれば、アジャスターの貫通孔を通じて固定ねじにより取り付け、固定することができ、アジャスターの固定が簡便となり、しかも壁の水平及び垂直方向の不陸が調整されるとともに、収納棚を壁に簡便に取り付け、固定することができる。
【発明を実施するための最良の形態】
【０００９】
以下、図面に沿ってこの出願の発明の収納棚の壁固定構造についてさらに詳しく説明する。
【００１０】
図１は、この出願の発明の収納棚の壁固定構造に用いられるアジャスターの概要を示した斜視図である。
【００１１】
アジャスターは、外周にねじが切られた調整部（１）と調整部（１）の一端部に設けられた台座（２）とを備え、調整部（１）から台座（２）にかけて中央部に工具の挿入が可能な貫通孔（３）が形成されている。
【００１２】
アジャスターは、壁の不陸を調整し、不陸が必要とされる物、すなわち、被調整物を水平及び垂直に配置するための部材である。被調整物には、アジャスターの調整部（１）と螺合する貫通孔が設けられる。不陸の調整は、被調整物側からレンチ等の工具を貫通孔（３）に挿入し、アジャスターを回転させ、調整部（１）と被調整物側の貫通孔との螺合具合を調整することにより行われる。工具には一般に六角レンチが用いられるため、貫通孔（３）は六角レンチを受け入れ可能とする六角孔とすることができる。
【００１３】
そして、アジャスターは、貫通孔（３）を通じて挿入される固定ねじ（４）により取り付け、固定が可能とされている。したがって、アジャスターは、不陸調整後に、貫通孔（３）を通じて固定ねじ（４）を挿入し、壁に固定ねじ（４）をねじ込むことにより壁に固定することができる。これまでのアジャスターのように、台座（２）において固定ねじをねじ込み、固定する必要はなく、アジャスターの壁への取付固定は簡便となっている。
【００１４】
図２は、以上のアジャスターを用いて収納棚を壁に固定した状態を示した側面図である。
【００１５】
収納棚（５）は、アジャスターにより水平及び垂直方向の不陸が調整され、壁（６）に固定されている。
【００１６】
図３は、この出願の発明の収納棚の壁固定構造の一実施形態を示した要部分解斜視図である。
【００１７】
図３に示したように、この出願の発明の収納棚の壁固定構造では、収納棚（５）の壁（６）側の部位に形成され、内周にねじが切られた貫通孔（７）に、図１に概略を示したアジャスターの調整部（１）が螺合される。不陸調整は、収納棚（５）側より六角レンチ等の工具がアジャスターの貫通孔（３）に挿入され、アジャスターを回転させることにより行われる。アジャスターの回転により、調整部（１）の貫通孔（７）への螺合具合が調整され、不陸が調整される。これにより、壁（６）の水平及び垂直方向の不陸が調整される。そして、アジャスターの貫通孔（３）を通じて固定ねじ（４）が壁（６）に向けてねじ込まれ、アジャスターとともに収納棚（５）は取り付け、固定される。このように、この出願の発明の収納棚の壁固定構造では、収納棚（５）は、アジャスターの取付固定と同時に壁（６）に取り付け、固定され、その取付固定は簡便となる。取付後には、図３に示したように、収納棚（５）の貫通孔（７）にねじキャップ（８）を被着させ、見栄えの向上を図ることができる。
【００１８】
この出願の発明の収納棚の壁固定構造が適用可能な収納棚（５）は、箱状のものに限られず、図２及び図３に示したようなフレーム（９）の組み上げにより形成されるフレーム構造体であってもよい。一般に、フレーム（９）の組み上げにより形成されるフレーム構造体は、取付けに際し、歪み等の変形が生じやすいが、アジャスターにより、壁（６）の水平及び垂直方向の不陸が確実に調整されるため、壁（６）に引っ張られることはなく、歪み等の変形が生じず、形状を安定に保つことができる。
【００１９】
もちろん、この出願の発明は、以上の実施形態によって限定されるものではない。アジャスターの細部の構成及び構造、収納棚の構成及び構造等については様々な態様が可能であることはいうまでもない。
【産業上の利用可能性】
【００２０】
以上詳しく説明したとおり、この出願の発明によって、台座においてねじ固定の必要のない、固定の簡便なアジャスターを用いて水平及び垂直方向の不陸を調整し、収納棚を壁に取り付け、固定することができる。
【図面の簡単な説明】
【００２１】
【図１】この出願の発明の収納棚の壁固定構造に用いられるアジャスターの概要を示した斜視図である。
【図２】図１に示したアジャスターを用いて収納棚を壁に固定した状態を示した側面図である。
【図３】この出願の発明の収納棚の壁固定構造の一実施形態を示した要部分解斜視図である。
【符号の説明】
【００２２】
１    調整部
２    台座
３    貫通孔
４    固定ねじ
５    収納棚
６    壁
７    貫通孔
８    ねじキャップ
９    フレーム
【図１】
0004089549.tif 000002
【図２】
0004089549.tif 000003
【図３】
0004089549.tif 000004